(57)【要約】      （修正有）【課題】異常の原因を特定するまでの時間を短縮することができる画像形成装置及びプログラムを提供する。【解決手段】画像形成装置は、画像形成装置内で行われる通信の状態を監視する監視部５００と、前記監視部５００によって通信の状態が異常であることが監視された場合には、通信の状態が異常となった時点を含む予め定められた時間内に状態が変化した画像形成装置の動作に基づいて、通信を制御する制御部５０８とを有する。【選択図】図３
2011203454.tif 000002
【特許請求の範囲】
【請求項１】
画像形成装置内で行われる通信の状態を監視する監視部と、
前記監視部によって通信の状態が異常であることが監視された場合には、通信の状態が異常となった時点を含む予め定められた時間内に状態が変化した画像形成装置の動作に基づいて、通信を制御する制御部と
を有する画像形成装置。
【請求項２】
前記監視部によって通信の状態が異常であることが監視された場合には、状態が変化した画像形成装置の動作を記憶する記憶部
をさらに有し、
前記制御部は、前記記憶部によって記憶された回数が予め定められた閾値を超える場合、状態が変化した画像形成装置の動作に対して予め設定された時間には、通信が行われないようにする
請求項１に記載の画像形成装置。
【請求項３】
前記制御部は、前記記憶部によって記憶された回数が予め定められた閾値を超える場合、予め定められたデータ量に対して予め設定された通信時間から、状態が変化した画像形成装置の動作に対して予め設定された時間を減じた時間が、予め定められたデータ量の通信に必要な時間より小さいとき、状態が変化した画像形成装置の動作に対して予め設定された時間を短くする
請求項２に記載の画像形成装置。
【請求項４】
前記制御部は、前記監視部によって通信の状態が異常であることが監視された場合には、通信の状態が異常となった時点を含む予め定められた時間内に画像形成装置の動作に基づいて、画像データの送受信を制御する
請求項１乃至３のいずれかに記載の画像形成装置。
【請求項５】
画像形成装置内で発生するノイズを監視する監視部と、
前記監視部によってノイズが発生したことが監視された場合には、通信の状態が異常となった時点を含む予め定められた時間内に状態が変化した画像形成装置の動作に基づいて、通信を制御する制御部と
を有する画像形成装置。
【請求項６】
画像形成装置のコンピュータに対し、
前記画像形成装置内で行われる通信の状態を監視するステップと、
通信の状態が異常であることが監視された場合には、通信の状態が異常となった時点を含む予め定められた時間内に状態が変化した画像形成装置の動作に基づいて、通信を制御するステップと
を実行させるプログラム。
【発明の詳細な説明】
【技術分野】
【０００１】
本発明は、画像形成装置及びプログラムに関する。
【背景技術】
【０００２】
特許文献１には、ハードウエアに関する情報をソフトウエアモジュールでハンドリングし、ソフトウエア内部のモジュール間通信と同様に扱うことにより、装置に関する情報を一元管理する画像出力装置が開示されている。
特許文献２には、無線通信を行う外部装置から、複数の異なる周波数の搬送波を同一の情報を示す信号で変調して送信された複数の被変調波を周波数ごとに受信し、受信した被変調波が示す情報のうち、通信エラーが発生していない情報を用いて処理を行う通信装置が開示されている。
【先行技術文献】
【特許文献】
【０００３】
【特許文献１】特開２００５−１７０６２８号公報
【特許文献２】特開２００７−０６０４３５号公報
【発明の概要】
【発明が解決しようとする課題】
【０００４】
本発明の目的は、異常の原因を特定するまでの時間を短縮することができる画像形成装置及びプログラムを提供することを目的とする。
【課題を解決するための手段】
【０００５】
[画像形成装置]
請求項１に係る本発明は、画像形成装置内で行われる通信の状態を監視する監視部と、前記監視部によって通信の状態が異常であることが監視された場合には、通信の状態が異常となった時点を含む予め定められた時間内に状態が変化した画像形成装置の動作に基づいて、通信を制御する制御部とを有する画像形成装置である。
【０００６】
請求項２に係る本発明は、前記監視部によって通信の状態が異常であることが監視された場合には、状態が変化した画像形成装置の動作を記憶する記憶部をさらに有し、前記制御部は、前記記憶部によって記憶された回数が予め定められた閾値を超える場合、状態が変化した画像形成装置の動作に対して予め設定された時間には、通信が行われないようにする請求項１に記載の画像形成装置である。
【０００７】
請求項３に係る本発明は、前記制御部は、前記記憶部によって記憶された回数が予め定められた閾値を超える場合、予め定められたデータ量に対して予め設定された通信時間から、状態が変化した画像形成装置の動作に対して予め設定された時間を減じた時間が、予め定められたデータ量の通信に必要な時間より小さいとき、状態が変化した画像形成装置の動作に対して予め設定された時間を短くする請求項２に記載の画像形成装置である。
【０００８】
請求項４に係る本発明は、前記制御部は、前記監視部によって通信の状態が異常であることが監視された場合には、通信の状態が異常となった時点を含む予め定められた時間内に画像形成装置の動作に基づいて、画像データの送受信を制御する請求項１乃至３のいずれかに記載の画像形成装置である。
【０００９】
請求項５に係る本発明は、画像形成装置内で発生するノイズを監視する監視部と、前記監視部によってノイズが発生したことが監視された場合には、通信の状態が異常となった時点を含む予め定められた時間内に状態が変化した画像形成装置の動作に基づいて、通信を制御する制御部とを有する画像形成装置である。
【００１０】
[プログラム]
請求項６に係る本発明は、画像形成装置のコンピュータに対し、前記画像形成装置内で行われる通信の状態を監視するステップと、通信の状態が異常であることが監視された場合には、通信の状態が異常となった時点を含む予め定められた時間内に状態が変化した画像形成装置の動作に基づいて、通信を制御するステップとを実行させるプログラムである。
【発明の効果】
【００１１】
請求項１に係る本発明によれば、異常の原因を特定するまでの時間を短縮することができる画像形成装置を提供することができる。
【００１２】
請求項２に係る本発明によれば、請求項１に係る本発明によって奏される効果に加え、精度良く異常を検出することができる画像形成装置を提供することができる。
【００１３】
請求項３に係る本発明によれば、請求項２に係る本発明によって奏される効果に加え、通信を確実に行うことができる画像形成装置を提供することができる。
【００１４】
請求項４に係る本発明によれば、請求項１乃至３のいずれかに係る本発明によって奏される効果に加え、画像データが送受信される場合、異常の原因を特定するまでの時間を短縮することができる画像形成装置を提供することができる。
【００１５】
請求項５に係る本発明によれば、異常の原因を特定するまでの時間を短縮することができる画像形成装置を提供することができる。
【００１６】
請求項６に係る本発明によれば、異常の原因を特定するまでの時間を短縮することができるプログラムを提供することができる。
【図面の簡単な説明】
【００１７】
【図１】本発明の実施形態に係る画像形成装置を示す図である。
【図２】図１の像形成ユニットをさらに説明する図である。
【図３】図１の装置本体制御部で動作する通信制御プログラムの構成を示す図である。
【図４】通信の状態を示すデータ信号の例である。
【図５】感光体ドラムの回転位置を示す周期の例である。
【図６】図３の通信制御プログラムをさらに説明するための図である。
【図７】装置本体制御部と像形成ユニット制御部との間の通信を制御する場合を説明するための図である。
【図８】図３の通信制御プログラムの動作（Ｓ１０）を示すフローチャートである。
【図９】図１の装置本体制御部で動作する第２の通信制御プログラムの構成を示す図である。
【発明を実施するための最良の形態】
【００１８】
以下、本発明の実施形態について、図面を参照して詳細に説明する。
なお、以下の説明は、本発明を実施するのにあたっての一例に過ぎず、本発明が以下に説明される事項に限定されるわけではなく、必要に応じて適宜変更可能である。
例えば、以下、本発明の実施形態に係る画像形成装置は、カラープリンタであるとして説明しているが、これ以外の装置（例えば、モノクロプリンタ、ファクシミリ及び複合機）であってもかまわない。さらには、画像形成装置以外の装置（例えば、パソコン）であってもかまわない。
【００１９】
図１は、本発明の実施形態に係る画像形成装置を示す図である。
図１に示すように、本発明の実施形態に係る画像形成装置１は、装置本体１０と、装置本体１０に装着される操作パネル２０、スキャナ３０及び給紙装置４０とを有する。
さらに、装置本体１０は、カラー画像を構成する色ごとに設けられた像形成ユニット１２Ｙ（Ｙｅｌｌｏｗ；イエロー）、１２Ｍ（Ｍａｇｅｎｔａ；マゼンタ）、１２Ｃ（Ｃｙａｎ；シアン）及び１２Ｋ（ｂｌａｃＫ；ブラック）などを有する。
【００２０】
なお、以下の各図において、ｎが常に同じ数を示すとは限らないし、実質的に同じ構成部分には、同じ符号が付される。
以下、「像形成ユニット１２Ｙ、１２Ｍ、１２Ｃ及び１２Ｋ」など、複数存在しうる構成部分のいずれかが、特定されずに示される場合には、単に「像形成ユニット１２」などと略記されることがある。
【００２１】
また、装置本体１０、像形成ユニット１２及び給紙装置４０は、それぞれ、制御部を有し、制御部による制御を受けて動作する。
なお、図示しないが、装置本体１０の装置本体制御部１００、像形成ユニット１２の像形成ユニット制御部１２０及び給紙装置４０の給紙装置制御部４００は、ＣＰＵ、メモリ、記憶媒体及びこれらを接続するバスなどを備える制御基板であり、ケーブル及びコネクタなどを介して、互いに通信可能に接続されている。
【００２２】
装置本体１０は、トナー像を形成する像形成ユニット１２、像形成ユニット１２からトナー像が転写される中間転写ベルト１０２、像形成ユニット１２と対向する位置においてトナー像を用紙に転写する転写ローラ１０４、用紙に転写されたトナー像を定着させる定着部１０６、及び、用紙を搬送する用紙搬送路１１０を有する。
定着部１０６には、フラッシュランプ１０８が設けられ、フラッシュランプ１０８から照射される光エネルギーによってトナー像が定着される。
用紙搬送路１１０には、用紙搬送路１１０に沿って複数組の搬送ローラ１１２が配列される。プリント処理が施された用紙は、印字面を下にして、排出トレイ１１４に排出される。
【００２３】
操作パネル２０は、プリント処理（例えば、画像データのプリント）の命令をユーザから受け付け、受け付けたプリント処理命令を装置本体制御部１００に送信する。
なお、図示しないが、操作パネル２０は、ケーブル及びコネクタなどを介して、装置本体制御部１００などと通信可能に接続されている。
【００２４】
スキャナ３０は、セットされた原稿を読み取り、読み取った内容を画像データとして装置本体制御部１００に送信する。
なお、図示しないが、スキャナ３０は、ケーブル及びコネクタなどを介して、装置本体制御部１００と通信可能に接続されている。
【００２５】
給紙装置４０は給紙トレイ４０２を有し、給紙トレイ４０２には給紙ヘッド４０４が設けられている。装置本体制御部１００によってプリント処理命令が受け付けられたことをトリガにして、給紙ヘッド４０４が作動し、給紙通路４０６を介して、給紙トレイ４０２から装置本体１０に用紙が供給される。用紙搬送路１１０と同様、給紙通路４０６にも、給紙通路４０６に沿って複数組の搬送ローラ１１２が配列される。
なお、図示しないが、給紙装置４０の装置本体１０側の側面の一部は、給紙通路４０６を用紙搬送路１１０に連通させるためのガイド面として利用されている。
【００２６】
図２は、図１の像形成ユニット１２をさらに説明する図である。
図２に示すように、像形成ユニット１２は、感光体ドラム１２２、帯電器１２４、露光器１２６、現像ローラ１２８及び転写前帯電器１３０を有する。
【００２７】
感光体ドラム１２２には、表面にＯＰＣ（Ｏｒｇａｎｉｃ Ｐｈｏｔｏ Ｃｏｎｄｕｃｔｏｒ）などの光導電層が形成される。
帯電器１２４は、感光体ドラム１２２の表面に電荷を与え、一様に帯電させる。
露光器１２６は、レーザダイオードなどのビーム発光源を備え、帯電した感光体ドラム１２２の表面にビーム光を照射することにより照射部分の電荷を消失させ、出力画像に応じた静電潜像を形成する。
現像ローラ１２８は、出力画像に応じたトナーを感光体ドラム１２２に供給し、感光体ドラム１２２の表面の静電潜像からトナー像を作像する。
転写前帯電器１３０は、転写ローラ１０４による転写に先立ち、感光体ドラム１２２の表面に電荷を与え、一様に帯電させる。
【００２８】
図３は、図１の装置本体制御部１００で動作する通信制御プログラム５０の構成を示す図である。
通信制御プログラム５０は、メモリ及び記憶媒体などに記憶され、ＣＰＵによって読み出されて実行される。
図３に示すように、通信制御プログラム５０は、監視部５００、記憶部５０２、問合わせ部５０４、判定部５０６及び通信制御部５０８から構成される。
監視部５００は、装置本体制御部１００と、装置本体制御部１００に接続されている像形成ユニット制御部１２０、給紙装置制御部４００、操作パネル２０及びスキャナ３０などとの間の通信や、像形成ユニット制御部１２０間の通信の状態を監視する。
【００２９】
通信の状態は、例えば、図４に示すデータ信号として監視される。
図４（Ａ）のデータ信号が監視された場合、通信の状態は正常である。
図４（Ｂ）のデータ信号が監視された場合、データ信号にノイズが重畳されているものの、このノイズはサンプリングなどによって除去することができるので、通信の状態は正常である。
図４（Ｃ）のデータ信号が監視された場合、データ信号に除去困難なノイズが重畳されているので、通信の状態は異常である。ただし、図４（Ｃ）のデータ信号が監視された場合であっても、実際に通信異常が発生しているのではなく、画像形成装置１の構成要素で発生した異常が通信の状態に影響を及ぼしていることがある。例えば、画像形成装置１の構成要素を起動するモータの不良により、負荷電流が増加し、モータ起動時に大きな誘導ノイズが発生し、データ信号に大きなノイズが重畳されることがある。
【００３０】
図３の記憶部５０２は、画像形成装置１の各構成要素の動作の状態に基づいて、通信の状態が異常となったタイミング（以下、「異常タイミング」）と、通信の状態が異常となった回数（以下、「異常回数」）とを対応付けて記憶する。
なお、記憶部５０２に記憶される情報は、画像形成装置１の電源を投入した時点や、電源を切断した時点で消去されてもよいし、ユーザが操作パネル２０に対して入力した指示に基づいて消去されてもよい。また、画像形成装置１の構成要素が交換された時点で消去されてもよい。
また、消去するにあたっては、すべての異常回数及び異常タイミングを消去してもよいし、予め定められた（以下、「所定の」）閾値を超えた異常回数及びこれに対応付けられる異常タイミングのみを消去してもよい。
【００３１】
監視部５００によって通信の状態が異常となったことが監視されたことをトリガとして、問合せ部５０４は、画像形成装置１の各構成要素に動作の状態を問い合わせ、判定部５０６に送信する。画像形成装置１の各構成要素の動作の状態は、例えば、画像形成装置１の各構成要素からのオン又はオフのデータ信号として示される。
なお、問合せ部５０４は、画像形成装置１の各構成要素の動作の状態に加え、センサ（不図示）に画像形成装置１内の温度及び湿度を問い合わせてもよいし、図２の感光体ドラム１２２に回転位置を問い合わせてもよい。感光体ドラム１２２の回転位置は、例えば、図５に示すように、感光体ドラム１２２が１回転する周期を分割した周期（ここでは、分割周期１、分割周期２、・・・分割周期Ｎ−１及び分割周期Ｎ）として示される。
【００３２】
図３の判定部５０６は、問合せ部５０４が問い合わせた画像形成装置１の各構成要素の動作の状態などに基づいて、異常タイミングを判定する。
例えば、通信の状態が異常となったことが監視されたと同時に動作の状態が変化した画像形成装置１の構成要素があれば、この構成要素による動作の状態が変化した時点を異常タイミングとする。
【００３３】
さらに、判定部５０６は、記憶部５０２において、判定した異常タイミングを記憶し、判定した異常タイミングに対応する異常回数をカウントアップする。
判定部５０６がカウントアップした異常回数が、所定の閾値を超えた（つまり、同じ異常タイミングにおける異常回数が所定の閾値を超えた）場合には、通信制御部５０８は、通信を行うタイミングが制御されるよう、装置本体制御部１００、像形成ユニット制御部１２０、給紙装置制御部４００、操作パネル２０及びスキャナ３０などに設けられた通信インターフェース（不図示）を制御する。
【００３４】
図６は、図３の通信制御プログラム５０をさらに説明するための図である。
図６に示すように、画像形成装置１の各構成要素（ここでは、図２に示した、感光体ドラム１２２、現像ローラ１２８、転写前帯電器１３０、転写ローラ１０４、帯電器１２４、露光器１２６及び用紙搬送路１１０）が動作し、像形成ユニット制御部１２０Ｋ及び１２０Ｃが通信しているものとする。
【００３５】
通信制御プログラム５０が実行され、図３の監視部５００によって、像形成ユニット制御部１２０間の通信の状態が異常となったことが初めて監視された場合（図中（１））、図３の問合せ部５０４は、画像形成装置１の各構成要素に動作の状態を問い合わせ、図３の判定部５０６は、異常タイミングを判定し、判定した異常タイミング（ここでは、図中（２）に示されるように、転写ローラ１０４が起動した時点）と異常回数（ここでは、１回）とを対応付けて図３の記憶部５０２に記憶する。
さらに、像形成ユニット制御部１２０間の通信における異常回数が所定の回数（例えば５回）を超えた場合、図３の通信制御部５０８は、以降の通信において、転写ローラ１０４の起動によって通信の状態に影響が及ぶ異常タイミングには通信が行われないよう、通信を開始する時間を遅らせる。なお、通信制御部５０８は、異常タイミングには通信が行われないよう、通信を行う回数を少なくしてもかまわない。
【００３６】
具体的には、図中（３）に示すように、通信を開始するタイミングが、時間Ｔ１だけ遅くなるよう制御する。時間Ｔ１は、異常タイミングに対応付けられて記憶部５０２などに予め記憶されているものを読み出してもよいし、予め記憶された時間に対し、画像形成装置１内の温度及び湿度や、感光体ドラム１２２の回転位置などに応じた調整が加えられたものであってもよい。
時間Ｔ２は、所定のデータ量を通信するために理論的に必要となる時間Ｔ３よりも大きくなるよう（マージンＭが含まれるよう）、予め設定されている。
特に、時間Ｔ２から時間Ｔ１を減じて得られる時間Ｔ４が時間Ｔ３よりも小さくなってしまう場合には、所定のデータの一部が通信されなくなってしまうので、時間Ｔ１を小さくして、時間Ｔ４が時間Ｔ３よりも大きくなるようにするか、時間Ｔ１においても通信が行われるようにする。なお、優先順位が高いデータから順に通信し、通信されなくなるおそれがあるのは優先順位の低いデータのみとなるようにしてもよい。
【００３７】
さらに、以降の通信において、時間Ｔ１の累積時間が所定の閾値を超える場合には、操作パネル３０等に警告が表示されるようにしてもよい。
また、すべての通信においてではなく、所定の通信（例えば、像形成ユニット制御部１２０同士の通信のみ）において時間Ｔ１の累積時間が所定の閾値を超える場合にのみ、操作パネル３０等に警告が表示されるようにしてもよい。
【００３８】
像形成ユニット制御部１２０間の通信を例に説明したが、装置本体制御部１００と像形成ユニット制御部１２０との間の通信であっても同様である。
つまり、図７に示されるように、異常タイミングが、図１のフラッシュランプ１０６が発光する時点である場合には、装置本体制御部１００は、フラッシュランプ１０６が発光している時間には、像形成ユニット制御部１２０にビデオデータを送信しないよう、ビデオデータを送信するタイミングを制御する。
【００３９】
図８は、図３の通信制御プログラム５０の動作（Ｓ１０）を示すフローチャートである。
図８に示すように、ステップ１００（Ｓ１００）において、図３の監視部５００によって、通信の状態が異常になったことが監視されたかどうかを判定する。通信の状態が異常となった場合には、ステップ１０２の処理に進み、そうでない場合には、通信の状態が異常となるまで、この判定を繰り返す。
ステップ１０２（Ｓ１０２）において、図３の問合せ部５０４は、図１の画像形成装置１の各構成要素に動作の状態を問い合わせる。なお、画像形成装置１の各構成要素の動作の状態に加え、画像形成装置１内の温度及び湿度や図２の感光体ドラム１２２の回転位置などが問い合わせられてもよい。
【００４０】
ステップ１０４（Ｓ１０４）において、図３の判定部５０６は、ステップ１０２で問い合わせられた画像形成装置１の各構成要素の動作の状態などに基づいて、異常タイミングを判定する。
ステップ１０６（Ｓ１０６）において、判定部５０６は、図３の記憶部５０２において、判定した異常タイミングを記憶し、判定した異常タイミングに対応する異常回数をカウントアップする。
【００４１】
ステップ１０８（Ｓ１０８）において、判定部５０６は、ステップ１０６でカウントアップした異常回数が所定の閾値を超えたか否かを判定する。所定の閾値を超えた場合には、ステップ１１０の処理に進み、そうでない場合には、ステップ１００の処理に戻る。
ステップ１１０（Ｓ１１０）において、図３の通信制御部５０８は、ステップ１０４で判定された異常タイミングに基づいて、記憶部５０２などから、通信を行わない時間Ｔ１を読み出す。なお、読み出したＴ１に対し、画像形成装置１内の温度及び湿度や感光体ドラム１２２の回転位置などに応じた調整が加えられてもよい。
【００４２】
ステップ１１２（Ｓ１１２）において、通信制御部５０８は、所定のデータ量に対して予め設定された時間Ｔ２から、ステップ１１０で算出した時間Ｔ１を減じ、時間Ｔ４を算出する。
ステップ１１４（Ｓ１１４）において、通信制御部５０８は、ステップ１１２で算出した時間Ｔ４が、所定のデータ量の通信に必要な時間Ｔ３よりも小さいかどうかを判定する。時間Ｔ４が時間Ｔ３よりも小さい場合には、ステップ１１６の処理に進み、そうでない場合には、ステップ１１８の処理に進む。
【００４３】
ステップ１１６（Ｓ１１６）において、通信制御部５０８は、時間Ｔ４が時間Ｔ３よりも大きくなるよう、ステップ１１０で算出した時間Ｔ１を調整するか、時間Ｔ１においても通信が行われるようにする。
ステップ１１８（Ｓ１１８）において、通信制御部５０８は、ステップ１１０で読み出した時間Ｔ１（又は、ステップ１１６で調整した時間Ｔ１）の間に通信が行われないよう、通信を開始するタイミングを時間Ｔ１だけ遅らせるか、通信を開始するタイミングを遅らせない。
【００４４】
以上、装置本体制御部１００と、装置本体制御部１００に接続されている像形成ユニット制御部１２０、給紙装置制御部４００、操作パネル２０及びスキャナ３０などとの間の通信や、像形成ユニット制御部１２０間の通信の状態を監視し、通信の状態が異常となったタイミングに基づいて通信を制御するものとして説明した。
しかしながら、電源のノイズが検出された場合、ノイズの大きさによっては、通信の状態に影響が及ぶ可能性が高くなる。
そこで、画像形成装置１の電源、画像形成装置１の構成要素の電源、及び、シグナルグランドやフレームグランドなどを監視し、所定のレベル以上のノイズが検出されたタイミングに基づいて通信を制御してもかまわない。
【００４５】
[変形例]
図９は、このような場合において、図１の装置本体制御部１００で動作する第２の通信制御プログラム６０の構成を示す図である。
図９に示すように、通信制御プログラム６０は、監視部６００、記憶部６０２、問合わせ部５０４、判定部６０４及び通信制御部５０８から構成される。
【００４６】
監視部６００は、画像形成装置１の電源、画像形成装置１の構成要素の電源、シグナルグランド及びフレームグランドを監視する。
記憶部６０２は、画像形成装置１の各構成要素の動作の状態に基づく、ノイズが検出されたタイミング（以下、「ノイズ検出タイミング」）と、ノイズが検出された回数（以下、「ノイズ検出回数」）とを対応付けて記憶する。
監視部６００によって画像形成装置１の電源、画像形成装置１の構成要素の電源、シグナルグランド及びフレームグランドのノイズが監視されたことをトリガとして、問合せ部５０４は、画像形成装置１の各構成要素に動作の状態を問い合わせ、判定部６０４に送信する。
【００４７】
判定部６０４は、問合せ部５０４が問い合わせた画像形成装置１の各構成要素の動作の状態に基づいて、ノイズ検出タイミングを判定する。さらに、判定部６０４は、記憶部６０２において、判定したノイズ検出タイミングを記憶し、判定したノイズ検出タイミングに対応するノイズ検出回数をカウントアップする。
判定部６０４がカウントアップしたノイズ検出回数が、所定の閾値を超えた（つまり、同じノイズ検出タイミングにおけるノイズ検出回数が所定の閾値を超えた）場合には、通信制御部５０８は、所定のレベル以上のノイズによって通信の状態に影響が及ぶノイズ検出タイミングには、通信が行われないよう、通信インターフェースを制御する。
【００４８】
このように、通信の状態（又はノイズ）を監視し、通信の状態が異常となりやすいタイミング（又は大きなノイズが発生しやすいタイミング）においては通信を行わないことによって、実際には通信異常が発生していないにもかかわらず、画像形成装置１の構成要素の異常が通信の状態に影響を及ぼし、通信の状態が異常となってしまうことが少なくなるので、異常の原因を特定するまでの時間を短縮でき、画像形成装置１の稼働率を上げることができる。
【符号の説明】
【００４９】
１      画像形成装置
１０    装置本体
１００  装置本体制御部
１０２  中間転写ベルト
１０４  転写ローラ
１０６  定着部
１０８  フラッシュランプ
１１０  用紙搬送路
１１２  搬送ローラ
１１４  排出トレイ
１２    像形成ユニット
１２０  像形成ユニット制御部
１２２  感光体ドラム
１２４  帯電器
１２６  露光器
１２８  現像ローラ
１３０  転写前帯電器
２０    操作パネル
３０    スキャナ
４０    給紙装置
４００  給紙装置制御部
４０２  給紙トレイ
４０４  給紙ヘッド
４０６  給紙通路
５０    通信制御プログラム
５００  監視部
５０２  記憶部
５０４  問合せ部
５０６  判定部
５０８  通信制御部
６０    第２の通信制御プログラム
６００  監視部
６０２  記憶部
６０４  判定部
【図１】
2011203454.tif 000003
【図２】
2011203454.tif 000004
【図３】
2011203454.tif 000005
【図４】
2011203454.tif 000006
【図５】
2011203454.tif 000007
【図６】
2011203454.tif 000008
【図７】
2011203454.tif 000009
【図８】
2011203454.tif 000010
【図９】
2011203454.tif 000011